【手続補正書】
【提出日】平成18年3月10日(2006.3.10)
【手続補正１】
【補正対象書類名】特許請求の範囲
【補正対象項目名】全文
【補正方法】変更
【補正の内容】
【特許請求の範囲】
【請求項１】
医薬組成物であって、腫瘍関連抗原の発現または活性を阻害する剤を含み、前記腫瘍関連抗原が：
（ａ）配列番号：１〜５、１９〜２１、２９、３１〜３３、３７、３９、４０、５４〜５７、６２、６３、７０、７４、８５〜８８からなる群から選択された核酸配列を含む核酸、この一部または誘導体、
（ｂ）（ａ）の核酸とストリンジェントな条件下でハイブリダイズする核酸、
（ｃ）（ａ）または（ｂ）の核酸に関して変性している核酸、および
（ｄ）（ａ）、（ｂ）または（ｃ）の核酸に相補的な核酸
からなる群から選択された核酸によりコードされた配列を有する、前記医薬組成物。
【請求項２】
医薬組成物であって、腫瘍阻害活性を有し、腫瘍関連抗原を発現するか、または異常に発現する細胞に対して選択性である剤を含み、前記腫瘍関連抗原が、
（ａ）配列番号：１〜５、１９〜２１、２９、３１〜３３、３７、３９、４０、５４〜５７、６２、６３、７０、７４、８５〜８８からなる群から選択された核酸配列を含む核酸、この一部または誘導体、
（ｂ）（ａ）の核酸とストリンジェントな条件下でハイブリダイズする核酸、
（ｃ）（ａ）または（ｂ）の核酸に関して変性している核酸、および
（ｄ）（ａ）、（ｂ）または（ｃ）の核酸に相補的な核酸
からなる群から選択された核酸によりコードされた配列を有する、前記医薬組成物。
【請求項３】
剤が、細胞死の誘発、細胞増殖の減少、細胞膜への損傷またはサイトカインの分泌を生じる、請求項２に記載の医薬組成物。
【請求項４】
剤が、腫瘍関連抗原をコードする核酸と選択的にハイブリダイズするアンチセンス核酸である、請求項１または２に記載の医薬組成物。
【請求項５】
剤が、腫瘍関連抗原に選択的に結合する抗体である、請求項１または２に記載の医薬組成物。
【請求項６】
剤が、腫瘍関連抗原に選択的に結合する補体活性化抗体である、請求項２に記載の医薬組成物。
【請求項７】
医薬組成物であって、投与された際に、ＨＬＡ分子と、腫瘍関連抗原またはこの一部との間の複合体の量を選択的に増大させる剤を含み、前記腫瘍関連抗原が：
（ａ）配列番号：１〜５、１９〜２１、２９、３１〜３３、３７、３９、４０、５４〜５７、６２、６３、７０、７４、８５〜８８からなる群から選択された核酸配列を含む核酸、この一部または誘導体、
（ｂ）（ａ）の核酸とストリンジェントな条件下でハイブリダイズする核酸、
（ｃ）（ａ）または（ｂ）の核酸に関して変性している核酸、および
（ｄ）（ａ）、（ｂ）または（ｃ）の核酸に相補的な核酸
からなる群から選択された核酸によりコードされた配列を有する、前記医薬組成物。
【請求項８】
剤が：
（ｉ）腫瘍関連抗原またはこの一部、
（ｉｉ）腫瘍関連抗原またはこの一部をコードする核酸、
（ｉｉｉ）腫瘍関連抗原またはこの一部を発現する宿主細胞、および
（ｉｖ）腫瘍関連抗原またはこの一部とＨＬＡ分子との間の単離された複合体
からなる群から選択された１種または２種以上の成分を含む、請求項７に記載の医薬組成物。
【請求項９】
剤が、各々の場合において、異なる腫瘍関連抗原の発現または活性を選択的に阻害し、各々の場合において、異なる腫瘍関連抗原を発現する細胞に選択的であり、またはＨＬＡ分子と異なる腫瘍関連抗原またはこの一部との間の複合体の量を増大させる、２種または３種以上の剤を含み、前記腫瘍関連抗原の少なくとも１種が：
（ａ）配列番号：１〜５、１９〜２１、２９、３１〜３３、３７、３９、４０、５４〜５７、６２、６３、７０、７４、８５〜８８からなる群から選択された核酸配列を含む核酸、この一部または誘導体、
（ｂ）（ａ）の核酸とストリンジェントな条件下でハイブリダイズする核酸、
（ｃ）（ａ）または（ｂ）の核酸に関して変性している核酸、および
（ｄ）（ａ）、（ｂ）または（ｃ）の核酸に相補的な核酸
からなる群から選択された核酸によりコードされた配列を有する、請求項１、２または７に記載の医薬組成物。
【請求項１０】
医薬組成物であって：
（ｉ）腫瘍関連抗原またはこの一部、
（ｉｉ）腫瘍関連抗原またはこの一部をコードする核酸、
（ｉｉｉ）腫瘍関連抗原またはこの一部に結合する抗体、
（ｉｖ）腫瘍関連抗原をコードする核酸に特異的にハイブリダイズするアンチセンス核酸、
（ｖ）腫瘍関連抗原またはこの一部を発現する宿主細胞、および
（ｖｉ）腫瘍関連抗原またはこの一部とＨＬＡ分子との間の単離された複合体
からなる群から選択された１種または２種以上の成分を含み、前記腫瘍関連抗原が：
（ａ）配列番号：１〜５、１９〜２１、２９、３１〜３３、３７、３９、４０、５４〜５７、６２、６３、７０、７４、８５〜８８からなる群から選択された核酸配列を含む核酸、この一部または誘導体、
（ｂ）（ａ）の核酸とストリンジェントな条件下でハイブリダイズする核酸、
（ｃ）（ａ）または（ｂ）の核酸に関して変性している核酸、および
（ｄ）（ａ）、（ｂ）または（ｃ）の核酸に相補的な核酸
からなる群から選択された核酸によりコードされた配列を有する、前記医薬組成物。
【請求項１１】
（ｉｉ）の核酸が、発現ベクター中に存在する、請求項８または１０に記載の医薬組成物。
【請求項１２】
（ｉｉ）の核酸が、プロモーターに機能的に結合している、請求項８または１０に記載の医薬組成物。
【請求項１３】
宿主細胞が、腫瘍関連抗原またはこの一部を分泌する、請求項８または１０に記載の医薬組成物。
【請求項１４】
宿主細胞が、さらに、腫瘍関連抗原またはこの一部に結合するＨＬＡ分子を発現する、請求項８または１０に記載の医薬組成物。
【請求項１５】
宿主細胞が、ＨＬＡ分子および／または腫瘍関連抗原またはこの一部を、組み換え方式で発現する、請求項１４に記載の医薬組成物。
【請求項１６】
宿主細胞がＨＬＡ分子を内在性に発現する、請求項１４に記載の医薬組成物。
【請求項１７】
宿主細胞が抗原提示細胞である、請求項８、１０、１４または１６に記載の医薬組成物。
【請求項１８】
抗原提示細胞が、樹状細胞またはマクロファージである、請求項１７に記載の医薬組成物。
【請求項１９】
宿主細胞が非増殖性である、請求項８、１０および１３〜１８のいずれかに記載の医薬組成物。
【請求項２０】
抗体がモノクローナル抗体である、請求項５または１０に記載の医薬組成物。
【請求項２１】
抗体がキメラまたはヒト化抗体である、請求項５または１０に記載の医薬組成物。
【請求項２２】
抗体が天然の抗体のフラグメントである、請求項５または１０に記載の医薬組成物。
【請求項２３】
抗体が治療剤または診断剤に結合している、請求項５または１０に記載の医薬組成物。
【請求項２４】
アンチセンス核酸が、腫瘍関連抗原をコードする核酸の６〜５０の近接するヌクレオチドの配列を含む、請求項４または１０に記載の医薬組成物。
【請求項２５】
前記医薬組成物により提供された、腫瘍関連抗原またはこの一部が、異常な量の前記腫瘍関連抗原またはこの一部を発現する細胞の表面上のＭＨＣ分子に結合している、請求項８および１０〜１３のいずれかに記載の医薬組成物。
【請求項２６】
結合が、細胞溶解反応を生じ、および／またはサイトカイン放出を誘発する、請求項２５に記載の医薬組成物。
【請求項２７】
さらに、薬学的に許容し得る担体および／またはアジュバントを含む、請求項１〜２６のいずれかに記載の医薬組成物。
【請求項２８】
アジュバントが、サポニン、ＧＭ−ＣＳＦ、ＣｐＧ、サイトカインまたはケモカインである、請求項２７に記載の医薬組成物。
【請求項２９】
腫瘍関連抗原の発現または異常な発現により特徴づけられる疾患の処置に用いることができる、請求項１〜２８のいずれかに記載の医薬組成物。
【請求項３０】
疾患が癌である、請求項２９に記載の医薬組成物。
【請求項３１】
疾患が、肺腫瘍、乳房腫瘍、前立腺腫瘍、黒色腫、大腸腫瘍、大腸腫瘍の転移、腎臓細胞癌腫または子宮頸癌腫、大腸癌腫または乳房癌腫である、請求項２９に記載の医薬組成物。
【請求項３２】
腫瘍関連抗原が、配列番号：６〜１３、１４〜１８、２２〜２４、３０、３４〜３６、３８、４１、５８〜６１、６４、６５、７１、７５、８０〜８４、８９〜１００からなる群から選択されたアミノ酸配列、この一部または誘導体を含む、請求項１〜３１のいずれかに記載の医薬組成物。
【請求項３３】
腫瘍関連抗原の発現または異常な発現により特徴づけられる疾患を検出する方法であって、この方法が、
（ｉ）腫瘍関連抗原もしくはこの一部をコードする核酸の検出、および／または
（ｉｉ）腫瘍関連抗原もしくはこの一部の検出、および／または
（ｉｉｉ）腫瘍関連抗原もしくはこの一部に対する抗体の検出、および／または
（ｉｖ）患者から単離された生物学的試料中の腫瘍関連抗原またはこの一部に特異的な、細胞障害性もしくはヘルパーＴリンパ球の検出
を含み、前記腫瘍関連抗原が：
（ａ）配列番号：１〜５、１９〜２１、２９、３１〜３３、３７、３９、４０、５４〜５７、６２、６３、７０、７４、８５〜８８からなる群から選択された核酸配列を含む核酸、この一部または誘導体、
（ｂ）（ａ）の核酸とストリンジェントな条件下でハイブリダイズする核酸、
（ｃ）（ａ）または（ｂ）の核酸に関して変性している核酸、および
（ｄ）（ａ）、（ｂ）または（ｃ）の核酸に相補的な核酸
からなる群から選択された核酸によりコードされた配列を有する、前記方法。
【請求項３４】
検出が、
（ｉ）生物学的試料を、腫瘍関連抗原またはこの一部をコードする核酸、腫瘍関連抗原もしくはこの一部、抗体または細胞障害性もしくはヘルパーＴリンパ球に特異的に結合する剤と接触させること、および
（ｉｉ）この剤と、核酸またはこの一部、腫瘍関連抗原またはこの一部、抗体または細胞障害性もしくはヘルパーＴリンパ球との間の複合体の形成を検出すること
を含む、請求項３３に記載の方法。
【請求項３５】
検出を、相当する正常な生物学的試料における検出と比較する、請求項３３または３４に記載の方法。
【請求項３６】
疾患を、２種または３種以上の異なる腫瘍関連抗原の発現または異常な発現により特徴づけ、検出が、前記２種もしくは３種以上の異なる腫瘍関連抗原もしくはこの一部をコードする２種もしくは３種以上の核酸の検出、２種もしくは３種以上の異なる腫瘍関連抗原もしくはこの一部の検出、前記２種もしくは３種以上の異なる腫瘍関連抗原もしくはこの一部に結合する２種もしくは３種以上の抗体の検出または前記２種もしくは３種以上の異なる腫瘍関連抗原に特異的な２種もしくは３種以上の細胞障害性もしくはヘルパーＴリンパ球の検出を含む、請求項３３〜３５のいずれかに記載の方法。
【請求項３７】
核酸またはこの一部を、前記核酸またはこの前記一部に特異的にハイブリダイズするポリヌクレオチドプローブを用いて検出する、請求項３３〜３６のいずれかに記載の方法。
【請求項３８】
ポリヌクレオチドプローブが、腫瘍関連抗原をコードする核酸の６〜５０の近接するヌクレオチドの配列を含む、請求項３７に記載の方法。
【請求項３９】
核酸またはこの一部を、前記核酸またはこの前記一部を選択的に増幅することにより検出する、請求項３３〜３６のいずれかに記載の方法。
【請求項４０】
検出するべき腫瘍関連抗原またはこの一部が、ＭＨＣ分子との複合体中にある、請求項３３〜３６のいずれかに記載の方法。
【請求項４１】
ＭＨＣ分子がＨＬＡ分子である、請求項４０に記載の方法。
【請求項４２】
腫瘍関連抗原またはこの一部を、前記腫瘍関連抗原またはこの前記一部に特異的に結合する抗体を用いて検出する、請求項３３〜３６および４０〜４１のいずれかに記載の方法。
【請求項４３】
抗体を、前記抗体に特異的に結合するタンパク質またはペプチドを用いて検出する、請求項３３〜３６のいずれかに記載の方法。
【請求項４４】
腫瘍関連抗原の発現または異常な発現により特徴づけられる疾患の退行、経過または発症を決定する方法であって、該方法が、前記疾患を患っているか、または前記疾患に罹患していることが疑われる患者からの試料を：
（ｉ）腫瘍関連抗原またはこの一部をコードする核酸の量、
（ｉｉ）腫瘍関連抗原またはこの一部の量、
（ｉｉｉ）腫瘍関連抗原またはこの一部に結合する抗体の量、および
（ｉｖ）腫瘍関連抗原またはこの一部とＭＨＣ分子との間の複合体に特異的な細胞溶解性またはサイトカイン放出性Ｔ細胞の量
からなる群から選択された１種または２種以上のパラメーターに関してモニタリングすることを含み、前記腫瘍関連抗原が：
（ａ）配列番号：１〜５、１９〜２１、２９、３１〜３３、３７、３９、４０、５４〜５７、６２、６３、７０、７４、８５〜８８からなる群から選択された核酸配列を含む核酸、この一部または誘導体、
（ｂ）（ａ）の核酸とストリンジェントな条件下でハイブリダイズする核酸、
（ｃ）（ａ）または（ｂ）の核酸に関して変性している核酸、および
（ｄ）（ａ）、（ｂ）または（ｃ）の核酸に相補的な核酸
からなる群から選択された核酸によりコードされた配列を有する、前記方法。
【請求項４５】
第１の時点における第１の試料および第２の時点におけるさらなる試料におけるパラメーター（１または２以上）を決定することを含み、疾患の経過を、前記の２種の試料を比較することにより決定する、請求項４４に記載の方法。
【請求項４６】
疾患を、２種または３種以上の異なる腫瘍関連抗原の発現または異常な発現により特徴づけ、モニタリングが、
（ｉ）前記２種または３種以上の異なる腫瘍関連抗原またはこの一部をコードする２種または３種以上の核酸の量、
（ｉｉ）前記２種または３種以上の異なる腫瘍関連抗原またはこの一部の量、
（ｉｉｉ）前記２種または３種以上の異なる腫瘍関連抗原またはこの一部に結合する２種または３種以上の抗体の量、および／または
（ｉｖ）前記２種または３種以上の異なる腫瘍関連抗原またはこの一部とＭＨＣ分子との間の複合体に特異的な、２種または３種以上の細胞溶解性またはサイトカイン放出性Ｔ細胞の量
をモニタリングすることを含む、請求項４４または４５に記載の方法。
【請求項４７】
核酸またはこの一部の量を、前記核酸またはこの前記一部に特異的にハイブリダイズするポリヌクレオチドプローブを用いてモニタリングする、請求項４４〜４６のいずれかに記載の方法。
【請求項４８】
ポリヌクレオチドプローブが、腫瘍関連抗原をコードする核酸の６〜５０の近接するヌクレオチドの配列を含む、請求項４７に記載の方法。
【請求項４９】
核酸またはこの一部の量を、前記核酸またはこの前記一部を選択的に増幅することによりモニタリングする、請求項４４〜４６のいずれかに記載の方法。
【請求項５０】
腫瘍関連抗原またはこの一部の量を、前記腫瘍関連抗原またはこの前記一部に特異的に結合する抗体を用いてモニタリングする、請求項４４〜４６のいずれかに記載の方法。
【請求項５１】
抗体の量を、抗体に特異的に結合するタンパク質またはペプチドを用いてモニタリングする、請求項４４〜４６のいずれかに記載の方法。
【請求項５２】
細胞溶解性またはサイトカイン放出性Ｔ細胞の量を、腫瘍関連抗原またはこの一部とＭＨＣ分子との間の複合体を提示する細胞を用いてモニタリングする、請求項４４〜４６のいずれかに記載の方法。
【請求項５３】
ポリヌクレオチドプローブ、抗体、タンパク質またはペプチドまたは細胞を、検出可能な方式で標識する、請求項３７〜３８、４２〜４３、４７〜４８および５０〜５２のいずれかに記載の方法。
【請求項５４】
検出可能なマーカーが、放射活性マーカーまたは酵素的マーカーである、請求項５３に記載の方法。
【請求項５５】
試料が、体液および／または体組織を含む、請求項３３〜５４のいずれかに記載の方法。
【請求項５６】
腫瘍関連抗原の発現または異常な発現により特徴づけられる疾患を検出し、またはモニタリングする方法であって、該方法が、前記腫瘍関連抗原またはこの一部に結合し、治療剤または診断剤と結合した抗体を投与することを含み、前記腫瘍関連抗原が：
（ａ）配列番号：１〜５、１９〜２１、２９、３１〜３３、３７、３９、４０、５４〜５７、６２、６３、７０、７４、８５〜８８からなる群から選択された核酸配列を含む核酸、この一部または誘導体、
（ｂ）（ａ）の核酸とストリンジェントな条件下でハイブリダイズする核酸、
（ｃ）（ａ）または（ｂ）の核酸に関して変性している核酸、および
（ｄ）（ａ）、（ｂ）または（ｃ）の核酸に相補的な核酸
からなる群から選択された核酸によりコードされた配列を有する、前記方法。
【請求項５７】
抗体がモノクローナル抗体である、請求項４２、５０または５６に記載の方法。
【請求項５８】
抗体がキメラまたはヒト化抗体である、請求項４２、５０または ５６に記載の方法。
【請求項５９】
抗体が天然の抗体のフラグメントである、請求項４２、５０または５６に記載の方法。
【請求項６０】
疾患が癌である、請求項３３〜５９のいずれかに記載の方法。
【請求項６１】
腫瘍関連抗原が、配列番号：６〜１３、１４〜１８、２２〜２４、３０、３４〜３６、３８、４１、５８〜６１、６４、６５、７１、７５、８０〜８４、８９〜１００からなる群から選択されたアミノ酸配列、この一部または誘導体を含む、請求項３３〜６０のいずれかに記載の方法。
【請求項６２】
核酸であって：
（ａ）配列番号：２〜５、２０〜２１、３１〜３３、３７、３９、５４〜５７、６２、６３、８５〜８８からなる群から選択された核酸配列を含む核酸、この一部または誘導体、
（ｂ）（ａ）の核酸とストリンジェントな条件下でハイブリダイズする核酸、
（ｃ）（ａ）または（ｂ）の核酸に関して変性している核酸、および
（ｄ）（ａ）、（ｂ）または（ｃ）の核酸に相補的な核酸
からなる群から選択されている、前記核酸。
【請求項６３】
核酸であって、配列番号：７〜１３、１４〜１８、２３〜２４、３４〜３６、５８〜６１、６４、６５、８９〜１００からなる群から選択されたアミノ酸配列、この一部または誘導体を含むタンパク質またはポリペプチドをコードする、前記核酸。
【請求項６４】
請求項６２または６３に記載の核酸を含む、組み換えＤＮＡまたはＲＮＡ分子。
【請求項６５】
ベクターである、請求項６４に記載の組み換えＤＮＡ分子。
【請求項６６】
ベクターが、ウイルスベクターまたはバクテリオファージである、請求項６５に記載の組み換えＤＮＡ分子。
【請求項６７】
さらに、核酸の発現を制御する発現制御配列を含む、請求項６４〜６６のいずれかに記載の組み換えＤＮＡ分子。
【請求項６８】
発現制御配列が、核酸と相同性、または非相同性である、請求項６７に記載の組み換えＤＮＡ分子。
【請求項６９】
宿主細胞であって、請求項６２もしくは６３に記載の核酸または請求項６４〜６８のいずれかに記載の組み換えＤＮＡ分子を含む、前記宿主細胞。
【請求項７０】
さらに、ＨＬＡ分子をコードする核酸を含む、請求項６９に記載の宿主細胞。
【請求項７１】
請求項６２に記載の核酸によりコードされた、タンパク質またはポリペプチド。
【請求項７２】
配列番号：７〜１３、１４〜１８、２３〜２４、３４〜３６、５８〜６１、６４、６５、８９〜１００からなる群から選択されたアミノ酸配列、この一部または誘導体を含む、タンパク質またはポリペプチド。
【請求項７３】
請求項７１または７２に記載のタンパク質またはポリペプチドの、免疫原性フラグメント。
【請求項７４】
ヒトＨＬＡレセプターまたはヒト抗体に結合する、請求項７１または７２に記載のタンパク質またはポリペプチドのフラグメント。
【請求項７５】
剤であって、タンパク質もしくはポリペプチドまたはこの一部に特異的に結合し、前記タンパク質またはポリペプチドが：
（ａ）配列番号：１〜５、１９〜２１、２９、３１〜３３、３７、３９、４０、５４〜５７、６２、６３、７０、７４、８５〜８８からなる群から選択された核酸配列を含む核酸、この一部または誘導体、
（ｂ）（ａ）の核酸とストリンジェントな条件下でハイブリダイズする核酸、
（ｃ）（ａ）または（ｂ）の核酸に関して変性している核酸、および
（ｄ）（ａ）、（ｂ）または（ｃ）の核酸に相補的な核酸
からなる群から選択された核酸によりコードされている、前記剤。
【請求項７６】
タンパク質またはポリペプチドが、配列番号：６〜１３、１４〜１８、２２〜２４、３０、３４〜３６、３８、４１、５８〜６１、６４、６５、７１、７５、８０〜８４、８９〜１００からなる群から選択されたアミノ酸配列、この一部または誘導体を含む、請求項７５に記載の剤。
【請求項７７】
抗体である、請求項７５または７６に記載の剤。
【請求項７８】
抗体が、モノクローナル、キメラもしくはヒト化抗体または抗体のフラグメントである、請求項７７に記載の剤。
【請求項７９】
抗体であって：
（ｉ）タンパク質もしくはポリペプチドまたはこの一部および
（ｉｉ）前記タンパク質もしくはポリペプチドまたはこの前記一部が結合するＭＨＣ分子の複合体に選択的に結合し、前記抗体は、（ｉ）または（ｉｉ）単独には結合せず、前記タンパク質またはポリペプチドが：
（ａ）配列番号：１〜５、１９〜２１、２９、３１〜３３、３７、３９、４０、５４〜５７、６２、６３、７０、７４、８５〜８８からなる群から選択された核酸配列を含む核酸、この一部または誘導体、
（ｂ）（ａ）の核酸とストリンジェントな条件下でハイブリダイズする核酸、
（ｃ）（ａ）または（ｂ）の核酸に関して変性している核酸、および
（ｄ）（ａ）、（ｂ）または（ｃ）の核酸に相補的な核酸
からなる群から選択された核酸によりコードされている、前記抗体。
【請求項８０】
タンパク質またはポリペプチドが、配列番号：６〜１３、１４〜１８、２２〜２４、３０、３４〜３６、３８、４１、５８〜６１、６４、６５、７１、７５、８０〜８４、８９〜１００からなる群から選択されたアミノ酸配列、この一部または誘導体を含む、請求項７９に記載の抗体。
【請求項８１】
モノクローナル、キメラもしくはヒト化抗体または抗体のフラグメントである、請求項７９または８０に記載の抗体。
【請求項８２】
請求項７５〜７８のいずれかに記載の剤または請求項７９〜８１のいずれかに記載の抗体と、治療剤または診断剤との間の複合体。
【請求項８３】
治療剤または診断剤が毒素である、請求項８２に記載の複合体。
【請求項８４】
腫瘍関連抗原の発現または異常な発現を検出するためのキットであって、このキットが、
（ｉ）腫瘍関連抗原もしくはこの一部をコードする核酸、
（ｉｉ）腫瘍関連抗原もしくはこの一部、
（ｉｉｉ）腫瘍関連抗原もしくはこの一部に結合する抗体、および／または
（ｉｖ）腫瘍関連抗原またはこの一部とＭＨＣ分子との間の複合体に特異的なＴ細胞
の検出のための剤を含み、前記腫瘍関連抗原が：
（ａ）配列番号：１〜５、１９〜２１、２９、３１〜３３、３７、３９、４０、５４〜５７、６２、６３、７０、７４、８５〜８８からなる群から選択された核酸配列を含む核酸、この一部または誘導体、
（ｂ）（ａ）の核酸とストリンジェントな条件下でハイブリダイズする核酸、
（ｃ）（ａ）または（ｂ）の核酸に関して変性している核酸、および
（ｄ）（ａ）、（ｂ）または（ｃ）の核酸に相補的な核酸
からなる群から選択された核酸によりコードされた配列を有する、前記キット。
【請求項８５】
腫瘍関連抗原またはこの一部をコードする核酸の検出のための剤が、前記核酸の選択的増幅のための核酸分子である、請求項８４に記載のキット。
【請求項８６】
核酸の選択的増幅のための核酸分子が、腫瘍関連抗原をコードする核酸の６〜５０の近接するヌクレオチドの配列を含む、請求項８５に記載のキット。
【請求項８７】
組み換えＤＮＡ分子であって、配列番号：１〜５、１９〜２１、２９、３１〜３３、３７、３９、４０、５４〜５７、６２、６３、７０、７４、８５〜８８からなる群から選択された核酸配列から由来するプロモーター領域を含む、前記組み換えＤＮＡ分子。
【請求項８８】
医薬組成物であって、腫瘍抗原ＴＰＴＥ、配列番号：１９、２２の発現または活性を阻害する剤を含む、前記医薬組成物。
【請求項８９】
医薬組成物であって、ＴＰＴＥの移動活性および転移活性を阻害する剤を含む、前記医薬組成物。
【請求項９０】
抗体である、請求項８８または８９に記載の剤。
【請求項９１】
抗体が、モノクローナル、キメラもしくはヒト化抗体または抗体のフラグメントである、請求項９０に記載の剤。
【請求項９２】
抗体であって、配列番号８１〜８２の配列を含む細胞外タンパク質領域に結合する、前記抗体。
【請求項９３】
ＴＰＴＥをコードする核酸と選択的にハイブリダイズするアンチセンス核酸である、請求項８８または８９に記載の剤。
【請求項９４】
アンチセンス核酸が、ＴＰＴＥをコードする核酸の６〜５０の近接ヌクレオチドの配列を含む、請求項９３に記載の剤。
【請求項９５】
ＲＮＡ干渉（ＲＮＡｉ）である、請求項８８または８９に記載の剤。
【請求項９６】
ＲＮＡｉが、「ショートヘアピン」構造（ｓｈＲＮＡ）を含む、請求項９５に記載の剤。
【請求項９７】
ｓｈＲＮＡが、発現ベクターでのトランスフェクションの後の転写により産生される、請求項９６に記載の剤。
【請求項９８】
ｓｈＲＮＡが、レトロウイルスの転写により産生される、請求項９６に記載の剤。
【請求項９９】
ｓｈＲＮＡが、レンチウイルス系により媒介される、請求項９６に記載の剤。
【請求項１００】
小さい化学的分子である、請求項８８または８９に記載の剤。
【請求項１０１】
小さい化学的分子が、ＴＰＴＥに結合している、請求項１００に記載の剤。
【請求項１０２】
小さい化学的分子が、配列番号：８１〜８２を含む細胞外領域に結合している、請求項１０１に記載の剤。
【請求項１０３】
ＴＰＴＥの発現または異常な発現により特徴づけられる腫瘍の転移を検出またはモニタリングする方法であって、該方法が、ＴＰＴＥに、またはこの一部に結合し、診断剤に結合する抗体を投与することを含み、前記ＴＰＴＥが：
（ａ）配列番号：１９を含む核酸配列から選択された核酸、この一部または誘導体、
（ｂ）（ａ）の核酸とストリンジェントな条件下でハイブリダイズする核酸、
（ｃ）（ａ）または（ｂ）の核酸に関して変性している核酸、および
（ｄ）（ａ）、（ｂ）または（ｃ）の核酸に相補的な核酸
からなる核酸によりコードされた配列を有する、前記方法。
【請求項１０４】
抗体がモノクローナル抗体である、請求項１０３に記載の方法。
【請求項１０５】
抗体がキメラまたはヒト化抗体である、請求項 １０３に記載の方法。
【請求項１０６】
抗体が天然の抗体のフラグメントである、請求項１０３に記載の方法。